(57)【要約】【課題】複数の端子金具を一括して取り扱うことができるようにする。【解決手段】端子モジュールＡは、水平な板状接続部３１から後方へ電線接続部３５を延出させた複数の端子金具３０と、板状接続部３１の前端縁から立ち上がり、係止孔４２を有する係止壁部３８と、複数の端子金具３０を個別に収容する複数の収容部１１を有する絶縁ケース１０とを備える。収容部１１は、電線接続部３５を載置させる受け部２３と、係止壁部３８と対向する前壁部１３と、前壁部１３に形成されて係止孔４２を係止させる係止突起１６と、板状接続部３１に対し後方から対向する支持部２２とを有する。【選択図】図２
2018041580.tif 000002
【特許請求の範囲】
【請求項１】
締結部材のボルトを挿通させる取付孔が形成された水平な板状接続部と、前記板状接続部の外周縁から後方へ延出した電線接続部とを有する複数の端子金具と、
前記板状接続部の前端縁から立ち上がった形態であり、係止孔を有する係止壁部と、
前記板状接続部の上下両面を外部に開放させた状態で前記複数の端子金具を個別に収容する複数の収容部を有する絶縁ケースと、
前記収容部を構成し、前記電線接続部を載置させる受け部と、
前記収容部を構成し、前記係止壁部の前面と対向する前壁部と、
前記収容部を構成し、前記前壁部に形成されて前記係止孔を係止させる係止突起と、
前記収容部を構成し、前記板状接続部に対し後方から対向する支持部とを備えていることを特徴とする端子モジュール。
【請求項２】
前記前壁部に形成され、前記係止壁部を係止させることで左右方向への相対変位を規制する前側回り止め部を備えていることを特徴とする請求項１記載の端子モジュール。
【請求項３】
前記板状接続部に形成され、前記支持部と係止することで左右方向への相対変位を規制する後側回り止め部を備えていることを特徴とする請求項１又は請求項２記載の端子モジュール。
【請求項４】
前記収容部に形成され、前記板状接続部の外周縁部に対し上方から対向する弾性抜止片を備えていることを特徴とする請求項１ないし請求項３のいずれか１項に記載の端子モジュール。
【請求項５】
前記前壁部における前記係止突起よりも上方の位置に形成され、前記係止壁部の上端縁部を下方へ摺接させることで、前記係止壁部の下端縁部が前記係止突起と干渉することを回避するガイド突起を備えていることを特徴とする請求項１ないし請求項４のいずれか１項に記載の端子モジュール。
【請求項６】
前記係止壁部の上端縁部が二枚重ね状に折り返した形態であることを特徴とする請求項１ないし請求項５のいずれか１項に記載の端子モジュール。
【発明の詳細な説明】
【技術分野】
【０００１】
本発明は、端子モジュールに関するものである。
【背景技術】
【０００２】
特許文献１には、電池モジュールを構成する電池ケースの蓋体に絶縁体を載置し、絶縁体の上面に金属端子を取り付け、隣り合う金属端子同士をボルトとナットによってバスバーで連結する構造が開示されている。金属端子は二次電池の電極を構成する部品であるので、隣り合う二次電池の電極間がバスバーによって接続される。このような電池モジュールにおいて、電圧検知回路に接続された端子金具を、バスバーと一緒にボルトにより金属端子に接続すれば、二次電池の電圧を検知することができる。
【先行技術文献】
【特許文献】
【０００３】
【特許文献１】特開２００９−３０１８７４号公報
【発明の概要】
【発明が解決しようとする課題】
【０００４】
上記の電池モジュールでは、複数のバスバーを１つずつ金属端子に取り付けられるようになっているため、電圧検知用の端子金具を取り付ける場合も、複数の端子金具を１つずつ金属端子に取り付けることになる。このように複数の端子金具を１つずつ個別に取り扱うことは作業効率が悪いため、改善が望まれる。
【０００５】
本発明は上記のような事情に基づいて完成されたものであって、複数の端子金具を一括して取り扱うことができるようにすることを目的とする。
【課題を解決するための手段】
【０００６】
本発明は、
締結部材のボルトを挿通させる取付孔が形成された水平な板状接続部と、前記板状接続部の外周縁から後方へ延出した電線接続部とを有する複数の端子金具と、
前記板状接続部の前端縁から立ち上がった形態であり、係止孔を有する係止壁部と、
前記板状接続部の上下両面を外部に開放させた状態で前記複数の端子金具を個別に収容する複数の収容部を有する絶縁ケースと、
前記収容部を構成し、前記電線接続部を載置させる受け部と、
前記収容部を構成し、前記係止壁部の前面と対向する前壁部と、
前記収容部を構成し、前記前壁部に形成されて前記係止孔を係止させる係止突起と、
前記収容部を構成し、前記板状接続部に対し後方から対向する支持部とを備えているところに特徴を有する。
【発明の効果】
【０００７】
収容部内に収容された端子金具は、係止壁部と板状接続部を前壁部と支持部に対向させることで前後方向に位置決めされ、係止孔を係止突起に係止させ、電線接続部を載置部に載置することで上下方向に位置決めされる。このようにして絶縁ケースに複数の端子金具が位置決めされて取り付けられるので、複数の端子金具を一括して取り扱うことができる。
【図面の簡単な説明】
【０００８】
【図１】実施例１の端子モジュールの斜視図
【図２】端子モジュールの平面図
【図３】端子モジュールの底面図
【図４】図２のＸ−Ｘ線断面図
【図５】端子金具を絶縁ケースに取り付ける過程で、係止壁部の上端縁部がガイド突起に摺接している状態をあらわす部分断面図
【図６】端子金具を絶縁ケースに取り付ける過程で、端子金具の係止孔が絶縁ケースの係止突起に係止した状態をあらわす部分断面図
【図７】絶縁ケースの斜視図
【図８】絶縁ケースの平面図
【図９】図８のＹ−Ｙ線断面図
【図１０】端子金具の斜視図
【図１１】端子金具の平面図
【発明を実施するための形態】
【０００９】
本発明は、前記前壁部に形成され、前記係止壁部を係止させることで左右方向への相対変位を規制する前側回り止め部を備えていてもよい。この構成によれば、取付孔に挿通したボルトを締め付けた時や、取付孔に挿通したボルトにねじ込んだナットを締め付けた時に、端子金具が連れ回りすることを防止できる。
【００１０】
本発明は、前記板状接続部に形成され、前記支持部と係止することで左右方向への相対変位を規制する後側回り止め部を備えていてもよい。この構成によれば、取付孔に挿通したボルトを締め付けた時や、取付孔に挿通したボルトにねじ込んだナットを締め付けた時に、端子金具が連れ回りすることを防止できる。
【００１１】
本発明は、前記収容部に形成され、前記板状接続部の外周縁部に対し上方から対向する弾性抜止片を備えていてもよい。この構成によれば、端子金具が絶縁ケースから浮き上がることを防止できる。
【００１２】
本発明は、前記前壁部における前記係止突起よりも上方の位置に形成され、前記係止壁部の上端縁部を下方へ摺接させることで、前記係止壁部の下端縁部が前記係止突起と干渉することを回避するガイド突起を備えていてもよい。この構成によれば、係止壁部を前壁部に沿わせながら収容部内に収容する際に、係止壁部の下端縁部が係止突起に引っ掛かることがないので、支障なく係止孔を係止突起に係止させることができる。
【００１３】
本発明は、前記係止壁部の上端縁部が二枚重ね状に折り返した形態であってよい。この構成によれば、係止壁部の上端縁部の強度が高められる。
【００１４】
＜実施例１＞
以下、本発明を具体化した実施例１を図１〜図１１を参照して説明する。尚、以下の説明において、前後の方向については、図１，７，１０における斜め右上方向、及び図２〜６，８，９，１１における右方を、前方と定義する。上下の方向については、図１，４〜７，９，１０にあらわれる向きを、そのまま上方、下方と定義する。左右の方向については、２，８，１１における下方を右方と定義する。
【００１５】
本実施例の端子モジュールＡは、合成樹脂製の１つの絶縁ケース１０と、複数の端子金具３０とを組み付けて一体化したものである。複数の端子金具３０は、電池モジュールを構成する複数の二次電池（図示省略）の上面に設けられている電極５０に、締結部材５１を用いて導通可能に接続されるようになっている。締結部材５１は、電極５０から上方に突出したボルト５２と、ボルト５２に対し上からねじ込まれるナット５３とから構成される。各端子金具３０には、二次電池の電圧を検知するための検知回路（図示省略）に接続された電線４３が固着されている。
【００１６】
＜絶縁ケース１０＞
絶縁ケース１０には、複数の収容部１１が、左右方向に並んで繋がった状態で形成されている。尚、便宜上、図１〜９では、１つの収容部１１だけを図示している。収容部１１の上面は、そのほぼ全領域に亘って上方へ開放されており、収容部１１の下面は、その受け部２３を除いた広い領域が下方へ開放されている。各収容部１１には、夫々、１つの端子金具３０が上から落とし込まれるようにして収容されている。収容部１１は、前壁部１３と右側壁部１４Ｒと左側壁部１４Ｌと後壁部１５とからなる周壁部１２を有している。周壁部１２は、平面視形状が略方形をなすフレーム状をなす。
【００１７】
前壁部１３の後面（周壁部１２の内面）には、横長のリブ状に突出した形態の係止突起１６が形成されている。同じく前壁部１３の後面には、係止突起１６を左右から対称に挟むように配された左右一対のガイドリブ１７（請求項に記載の前側回り止め部）が形成されている。ガイドリブ１７は上下方向（収容部１１に対する端子金具３０の取付け方向と平行な方向）に延びており、その形成範囲は、前壁部１３の下端から上端に亘って連続している。
【００１８】
前壁部１３の後面には、ガイドリブ１７の内側に沿うように配された左右対称な一対のガイド突起１８が形成されている。ガイド突起１８には、後方下向きに傾斜したガイド斜面１９が形成されている。左右両ガイド突起１８は、上下方向に関しては係止突起１６よりも上方に配され、平面視においては係止突起１６を左右から挟むように配されている。
【００１９】
後壁部１５は、収容部１１（周壁部１２）の右端から左右方向中央より少し右方の位置に至る右寄り壁部１５Ｒと、収容部１１の左端部に配された弧状壁部１５Ｌとから構成されている。右寄り壁部１５Ｒの一部は、右寄り壁部１５Ｒの上端から下方へ片持ち状に延出した形態の弾性抜止片２０となっている（図３，４を参照）。弾性抜止片２０は、前後方向へ弾性撓み可能となっている。弾性抜止片２０の前面（周壁部１２の内面）には、抜止め突起２１が形成されている。
【００２０】
収容部１１には、右寄り壁部１５Ｒの左端部から前方へリブ状に突出した支持部２２が形成されている。支持部２２は、右寄り壁部１５Ｒの上端から下端に亘って連続して形成され、支持部２２の前端縁のうち上半分領域は、前方に向かって下るように傾斜している。収容部１１には水平な板状をなす受け部２３が形成されている。受け部２３は、前後方向においては後壁部１５よりも後方の領域に配され、左右方向においては右寄り壁部１５Ｒと弧状壁部１５Ｌとの間に配されている。
【００２１】
＜端子金具３０＞
端子金具３０は、所定形状に打ち抜いた金属板材に曲げ加工等を施して成形したものである。尚、便宜上、図１〜６，１０，１１では、１つの端子金具３０だけを図示している。端子金具３０は、水平な板状接続部３１と、電線接続部３５と、係止壁部３８とを一体に形成したものである。板状接続部３１の中央部には、板状接続部３１を板厚方向に貫通する略円形の取付孔３２が形成されている。取付孔３２は、板状接続部３１における左右方向略中央部に配されているとともに、板状接続部３１における前後方向略中央部に配されている。
【００２２】
板状接続部３１の後端縁には、係止凹部３３（請求項に記載の後側回り止め部）が形成されている。係止凹部３３は、板状接続部３１の後端縁における左右方向中央部を、前方へ切欠した形態である。左右方向において、係止凹部３３の全領域が、取付孔３２の開口領域の範囲内に配されている。板状接続部３１の後端縁のうち係止凹部３３より右側の領域には、上方へ略直角に立ち上がる抜止め用壁部３４が形成されている。左右方向において、抜止め用壁部３４の左端部は、取付孔３２の開口領域の範囲内に配されている。
【００２３】
電線接続部３５は、板状接続部３１の後端縁のうち係止凹部３３より左側の領域から、後方へ片持ち状に延出した形態であり、オープンバレル状のインシュレーションバレル部３６と、オープンバレル状のワイヤバレル部３７とから構成されている。インシュレーションバレル部３６には、電線４３の絶縁被覆の前端部が圧着されている。ワイヤバレル部３７には、電線４３の導体の露出した前端部が圧着されている。左右方向において、電線接続部３５の右側領域は、取付孔３２の開口領域の範囲内に配されている。
【００２４】
係止壁部３８は、板状接続部３１の前端縁のうち左右方向中央部から上方へ片持ち状に延出した形態である。係止壁部３８は、板状接続部３１の前端縁に直接、連なる略方形の基板部３９と、基板部３９の上端縁の全幅領域から後面側へ反転するように折り返されて下方へ延出した略方形の折返部４０とから構成されている。折返部４０の上下寸法は基板部３９の上下寸法より小さく、折返部４０の下端縁は基板部３９（係止壁部３８）の下端縁より上方に位置する。これにより、係止壁部３８の上端縁部３８Ｕが二枚壁構造をなしている。係止壁部３８の上端縁部３８Ｕの外面（上面）は、略半円弧形断面の弧状面４１となっている。
【００２５】
係止壁部３８には、基板部３９の前面から後面に貫通した形態であって横長の方形をなす係止孔４２が形成されている。係止孔４２は、二枚重ね構造の上端縁部３８Ｕよりも下方に配され、基板部３９のみに形成されている。係止孔４２の開口領域の上端縁は、折返部４０の下端縁と同じ高さとなっている。係止壁部３８の上端から係止孔４２の開口領域の上端縁との間の上下寸法は、係止突起１６の上面とガイド突起１８の下面との間の上下間隔よりも僅かに小さい寸法である。また、左右方向において、係止壁部３８の形成領域は取付孔３２の開口領域とほぼ同じである。係止壁部３８は、取付孔３２を挟んで係止凹部３３及び抜止め用壁部３４と反対側の位置に配されている。
【００２６】
＜実施例１の作用及び効果＞
端子金具３０を収容部１１に取り付ける際には、板状接続部３１の前端部が斜め下向きとなるように端子金具３０を傾け、周壁部１２で囲まれた空間内に板状接続部３１を収容する。このとき、係止壁部３８を左右両ガイドリブ１７の間に嵌め込み、係止壁部３８の上端縁部３８Ｕを前壁部１３の後面に摺接させながら、板状接続部３１を下方へ変位させていく。係止壁部３８の上端縁部３８Ｕがガイド突起１８の上端に達した後は、図５に想像線で示すように、係止壁部３８の上端縁部３８Ｕ（弧状面４１）がガイド突起１８のガイド斜面１９を下向きに摺接する。
【００２７】
ここで、係止壁部３８の下端縁部３８Ｌは上端縁部３８Ｕよりも下方に位置し、前壁部１３から係止突起１６が後方へ突出している。そのため、係止壁部３８が下方へ変位する過程で、係止壁部３８の下端縁部３８Ｌが係止突起１６と干渉することが懸念される。しかし、係止壁部３８は、ガイド斜面１９の傾斜により前壁部１３に対して斜め下後方へ、即ち前後方向において係止突起１６から後方へ遠ざかる方向へ誘導されるので、係止壁部３８の下端縁部３８Ｌが係止突起１６と干渉することはない。
【００２８】
板状接続部３１を収容部１１内に収容する過程で、図５に実線で示すように、係止壁部３８の上端縁部３８Ｕがガイド斜面１９の下端に到達すると、係止壁部３８の下端縁部３８Ｌは、係止突起１６の上端より下方に位置している。そして、係止溝の上端から係止壁部３８の上端までの上下寸法は、係止突起１６のとガイド突起１８との間の上下間隔に対して僅かに小さいだけである。したがって、係止壁部３８の上端縁部３８Ｕがガイド斜面１９の下端から下方へ外れ、係止壁部３８の全体が斜め下前方へ変位しても、係止壁部３８の下端縁部３８Ｌが係止突起１６と干渉することはなく、図６に示すように、係止孔４２が係止突起１６の先端部（後端部）に浅く嵌合する。この間、端子金具３０は、板状接続部３１の前端部が斜め下を向く姿勢に傾いている。
【００２９】
図６に示す状態から、係止壁部３８の上端縁部３８Ｕを前壁部１３に当接させ、その当接部分を支点として端子金具３０の姿勢を水平に戻すと、図４に示すように、係止孔４２と係止突起１６が深く嵌合し、図３に示すように、係止壁部３８が左右両ガイドリブ１７の間に嵌合され、電線接続部３５が、右寄り壁部１５Ｒと弧状壁部１５Ｌとの間に入り込んで受け部２３に載置され、図２に示すように、係止凹部３３が支持部２２と嵌合する。また、端子金具３０の姿勢が水平に戻る過程では、端子金具３０の抜止め用壁部３４が、抜止め突起２１と干渉して弾性抜止片２０を後方へ弾性変位させる。そして、端子金具３０の姿勢が水平に戻ると、抜止め用壁部３４の上端が抜止め突起２１を通過するので、弾性抜止片２０が前方へ弾性復帰し、抜止め突起２１が抜止め用壁部３４の上端縁に対し上から係止可能な状態となる。
【００３０】
係止壁部３８の前面と前壁部１３の後面とが対向するとともに、係止凹部３３の奥端部（前端部）と支持部２２の前端とが対向することにより、端子金具３０が収容部１１に対して前後方向に位置決めされる。係止突起１６と係止孔４２との嵌合及び係止壁部３８とガイドリブ１７との嵌合により、端子金具３０の前端部が収容部１１に対して左右方向に位置決めされる。係止凹部３３と支持部２２との嵌合により、板状接続部３１の後端部が収容部１１に対して左右方向に位置決めされる。係止突起１６と係止孔４２とが嵌合し、係止壁部３８の上端縁部３８Ｕが係止突起１６とガイド突起１８との間で挟まれ、電線接続部３５が受け部２３に載置され、抜止め用壁部３４の上端と弾性抜止片２０の抜止め突起２１とが対向することにより、端子金具３０が収容部１１に対して上下方向に位置決めされる。
【００３１】
以上のようにして、各端子金具３０が、夫々、絶縁ケース１０の各収容部１１に対して個別に位置決めされて取り付けられる。端子金具３０を取り付けた状態では、図３に示すように、板状接続部３１の下面の少なくとも取付孔３２とその周辺部が収容部１１の下方へ開放されている。これにより、端子モジュールＡを電池モジュールの上方に配置し、板状接続部３１を電極５０の上面に載置して、電極５０のボルト５２を取付孔３２に挿通させることができる。
【００３２】
また、図２に示すように、板状接続部３１の全領域が収容部１１の上方へ開放されているので、取付孔３２から上方へ突出しているボルト５２に対し、上からナット５３をねじ込むことができる。ねじ込まれたナット５３は、周壁部１２で囲まれた空間内に収容され、板状接続部３１の上面に接触する。この状態からナット５３を締め付けると、板状接続部３１が電極５０とナット５３との間で強く挟み付けられ、電極５０と端子金具３０が導通可能に接続される。
【００３３】
ナット５３を締め付ける際には、ナット５３の座面と板状接続部３１の上面との間の摩擦によって、端子金具３０がナット５３と一緒に連れ回りすることが懸念される。しかし、係止突起１６と係止孔４２とが嵌合し、係止壁部３８とガイドリブ１７とが嵌合し、係止凹部３３と支持部２２とが嵌合することによって、収容部１１に対する端子金具３０の左右方向への相対変位が規制されているので、端子金具３０が連れ回りすることはない。また、ナット５３を緩める場合の連れ回りも、上記と同様の嵌合によって防止されている。
【００３４】
上述のように本実施例１の端子モジュールＡは、複数の端子金具３０と、絶縁ケース１０とを備えて構成されている。端子金具３０は、水平な板状接続部３１と電線接続部３５と係止壁部３８とを有する。板状接続部３１には、締結部材５１のボルト５２を挿通させる取付孔３２が形成されている。電線接続部３５は、板状接続部３１の外周縁から後方へ延出した形態である。係止壁部３８は、板状接続部３１の前端縁から立ち上がった形態であり、係止孔４２を有している。
【００３５】
絶縁ケース１０は、板状接続部３１の上下両面を外部に開放させた状態で複数の端子金具３０を個別に収容する複数の収容部１１を有している。収容部１１は、電線接続部３５を載置させる受け部２３と、係止壁部３８の前面と対向する前壁部１３と、前壁部１３に形成されて係止孔４２を係止させる係止突起１６と、板状接続部３１に対し後方から対向する支持部２２とを備えている。
【００３６】
この構成によれば、収容部１１内に収容された端子金具３０は、係止壁部３８と板状接続部３１を前壁部１３と支持部２２に対向させることで前後方向に位置決めされ、係止孔４２を係止突起１６に係止させ、電線接続部３５を載置部に載置することで上下方向に位置決めされる。端子モジュールＡは、絶縁ケース１０に複数の端子金具３０が取り付けられるので、複数の端子金具３０を一括して取り扱うことができる。
【００３７】
また、前壁部１３には、係止壁部３８を係止させることで左右方向への相対変位を規制するガイドリブ１７が形成されている。この構成によれば、取付孔３２に挿通したボルト５２にねじ込んだナット５３を締め付けた時に、端子金具３０が連れ回りすることを防止できる。また、板状接続部３１には、支持部２２と係止することで左右方向への相対変位を規制する係止凹部３３を備えていてもよい。この構成によっても、取付孔３２に挿通したボルト５２にねじ込んだナット５３を締め付けた時に、端子金具３０が連れ回りすることを防止できる。
【００３８】
また、収容部１１には、板状接続部３１の外周縁部に対し上方から対向する弾性抜止片２０が形成されているので、収容部１１に取り付けた端子金具３０が、絶縁ケース１０に対して浮き上がることを防止できる。また、前壁部１３における係止突起１６よりも上方の位置には、係止壁部３８の上端縁部３８Ｕを下方へ摺接させることで、係止壁部３８の下端縁部３８Ｌが係止突起１６と干渉することを回避するガイド突起１８が形成されている。この構成によれば、係止壁部３８を前壁部１３に沿わせながら収容部１１内に収容する際に、係止壁部３８の下端縁部３８Ｌが係止突起１６に引っ掛かることがないので、支障なく係止孔４２を係止突起１６に係止させることができる。また、係止壁部３８の上端縁部３８Ｕが二枚重ね状に折り返した形態なので、係止壁部３８の上端縁部３８Ｕの強度は高い。
【００３９】
＜他の実施例＞
本発明は上記記述及び図面によって説明した実施例に限定されるものではなく、例えば次のような実施例も本発明の技術的範囲に含まれる。
（１）上記実施例では、前壁部に前側回り止め部を形成したが、前壁部は前側回り止め部を有しない形態であってもよい。
（２）上記実施例では、板状接続部に後側回り止め部を形成したが、板状接続部は後側回り止め部を有しない形態であってもよい。
（３）上記実施例では、弾性抜止片を収容部の後壁部に形成したが、弾性抜止片は、収容部の前壁部や側壁部に形成してもよい。
（４）上記実施例では、前壁部にガイド突起を形成したが、前壁部はガイド突起を有しない形態であってもよい。
（５）上記実施例では、係止壁部の上端縁部を二枚重ね状に折り返した形態であるが、係止壁部の上端縁部は一枚板状であってもよい。
（６）上記実施例では、電極から突出したボルトが取付孔に挿通されるようになっているが、端子金具の上方からボルトを取付孔に挿通してもよい。
【符号の説明】
【００４０】
Ａ…端子モジュール
１０…絶縁ケース
１１…収容部
１３…前壁部
１６…係止突起
１７…ガイドリブ（前側回り止め部）
１８…ガイド突起
２０…弾性抜止片
２２…支持部
２３…受け部
３０…端子金具
３１…板状接続部
３２…取付孔
３３…係止凹部（後側回り止め部）
３５…電線接続部
３８…係止壁部
３８Ｕ…係止壁部の上端縁部
３８Ｌ…係止壁部の下端縁部
４２…係止孔
５１…締結部材
５２…ボルト
【図１】
2018041580.tif 000003
【図２】
2018041580.tif 000004
【図３】
2018041580.tif 000005
【図４】
2018041580.tif 000006
【図５】
2018041580.tif 000007
【図６】
2018041580.tif 000008
【図７】
2018041580.tif 000009
【図８】
2018041580.tif 000010
【図９】
2018041580.tif 000011
【図１０】
2018041580.tif 000012
【図１１】
2018041580.tif 000013
【手続補正書】
【提出日】平成29年7月19日(2017.7.19)
【手続補正１】
【補正対象書類名】明細書
【補正対象項目名】０００７
【補正方法】変更
【補正の内容】
【０００７】
収容部内に収容された端子金具は、係止壁部と板状接続部を前壁部と支持部に対向させることで前後方向に位置決めされ、係止孔を係止突起に係止させ、電線接続部を受け部に載置することで上下方向に位置決めされる。このようにして絶縁ケースに複数の端子金具が位置決めされて取り付けられるので、複数の端子金具を一括して取り扱うことができる。
【手続補正２】
【補正対象書類名】明細書
【補正対象項目名】００２８
【補正方法】変更
【補正の内容】
【００２８】
板状接続部３１を収容部１１内に収容する過程で、図５に実線で示すように、係止壁部３８の上端縁部３８Ｕがガイド斜面１９の下端に到達すると、係止壁部３８の下端縁部３８Ｌは、係止突起１６の上端より下方に位置している。そして、係止孔４２の上端から係止壁部３８の上端までの上下寸法は、係止突起１６のとガイド突起１８との間の上下間隔に対して僅かに小さいだけである。したがって、係止壁部３８の上端縁部３８Ｕがガイド斜面１９の下端から下方へ外れ、係止壁部３８の全体が斜め下前方へ変位しても、係止壁部３８の下端縁部３８Ｌが係止突起１６と干渉することはなく、図６に示すように、係止孔４２が係止突起１６の先端部（後端部）に浅く嵌合する。この間、端子金具３０は、板状接続部３１の前端部が斜め下を向く姿勢に傾いている。
【手続補正３】
【補正対象書類名】明細書
【補正対象項目名】００３６
【補正方法】変更
【補正の内容】
【００３６】
この構成によれば、収容部１１内に収容された端子金具３０は、係止壁部３８と板状接続部３１を前壁部１３と支持部２２に対向させることで前後方向に位置決めされ、係止孔４２を係止突起１６に係止させ、電線接続部３５を受け部２３に載置することで上下方向に位置決めされる。端子モジュールＡは、絶縁ケース１０に複数の端子金具３０が取り付けられるので、複数の端子金具３０を一括して取り扱うことができる。